(57)【要約】【課題】整地作業や清掃作業の際に手間が掛からない便利な清掃用具を提供する。【解決手段】第１接触板１０を、横長形状で長手方向の一端縁部１０ａがバンカーＡの砂地に接触するようにし、横長形状の弾性体の第２接触板２０を、所定の離隔距離で第１接触板１０と略平行に取り付け、第１接触板１０と第２接触板２０の、バンカーＡの砂地に接触する一端縁部１０ａ，２０ａと対向する他端の縁部１０ｂ，２０ｂを保持部３０で保持し、保持部３０に長尺状の把手部４０を設ける。保持部３０には、第１突起部と第２突起部３２とが設けられており、第２接触板２０が第１接触板１０側から離隔する方向に湾曲する場合は、第２突起部３２を支点として湾曲するように保持し、第２接触板２０が第１接触板１０側に湾曲する場合には、第１突起部３１を支点として湾曲する清掃用具１。【選択図】図３
2019150531.tif 000002
【特許請求の範囲】
【請求項１】
横長形状の部材であり、長手方向の一端縁部が被清掃面に接触する第１接触板と、
横長形状に形成した弾性体であって、長手方向が前記第１接触板の長手方向と同一となるように、所定の離隔距離で前記第１接触板と略平行に取り付けられ、長手方向の一端縁部が前記被清掃面に接触する第２接触板と、
前記第１接触板と前記第２接触板の、前記被清掃面に接触する一端縁部と対向する他端の縁部を保持する保持部と、
前記保持部に取り付けられ長尺状の把手部と、
を備え、
前記保持部は、
保持している前記第２接触板の他端の縁部よりも下方に、前記第２接触板が前記第１接触板側に近接する方向に湾曲した際に接触する第１突起部と、
保持している前記第２接触板の他端の縁部よりも下方に、前記第２接触板が前記第１接触板側から離隔する向きに湾曲する際に接触する第２突起部と、
を有し、
前記第２接触板は、
前記第１接触板側に湾曲する場合には、前記第１突起部を支点として湾曲し、前記第１接触板側から離隔する向きに湾曲する場合は、前記第２突起部を支点として湾曲することを特徴とする清掃用具。
【請求項２】
請求項１に記載の清掃用具において、
前記第１接触板の前記被清掃面に接触する縁部に複数の凸部が設けられていることを特徴とする清掃用具。
【発明の詳細な説明】
【技術分野】
【０００１】
本発明は、ゴルフ場のバンカーの清掃・整地やガラス窓などの清掃を行うための清掃用具に関する。
【背景技術】
【０００２】
従来、断面積が半円筒形の整地板の両端を側壁で塞ぎ、整地板の幅方向の一端縁に土ほぐし用の突起を連接し、他方の端縁を直線状に形成した整地器がある。この整地器では、一端縁の突起で土をほぐし、ほぐした土を直線状の他端縁で均すことに加え、直線状の他端縁を下向きにして水を掻き出すように移動させることにより、凹部内に入り込んだ水が側壁によって凹部内にせき止められるため、水たまりから効率よく水を掻き出すことができるようになっている（例えば、引用文献１参照）
【先行技術文献】
【特許文献】
【０００３】
【特許文献１】特開２０００−０８０６０８号公報
【発明の概要】
【発明が解決しようとする課題】
【０００４】
ところが、上記従来の整地器では、整地作業の際に整地板の突起で土をほぐしてから整地器を反転させ、直線状の端縁で均すというように、作業中に整地器を反転させる必要があり、不便であるという問題があった。
【０００５】
本発明は、こうした問題に鑑みなされたもので、整地作業や清掃作業の際に手間が掛からない便利な清掃用具を提供することを目的とする。
【課題を解決するための手段】
【０００６】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
［適用例１］
本発明に係る清掃用具（１）は、
横長形状の部材であり、長手方向の一端縁部（１０ａ）が被清掃面（Ａ）に接触する第１接触板（１０）と、
横長形状に形成した弾性体であって、長手方向が前記第１接触板（１０）の長手方向と同一となるように、所定の離隔距離で前記第１接触板（１０）と略平行に取り付けられ、長手方向の一端縁部（２０ａ）が前記被清掃面（Ａ）に接触する第２接触板（２０）と、
前記第１接触板（１０）と前記第２接触板（２０）の、前記被清掃面（Ａ）に接触する一端縁部（１０ａ，２０ａ）と対向する他端の縁部（１０ｂ，２０ｂ）を保持する保持部（３０）と、
前記保持部（３０）に取り付けられ長尺状の把手部（４０）と、
を備え、
前記保持部（３０）は、
保持している前記第２接触板（２０）の他端の縁部（２０ｂ）よりも下方に、前記第２接触板（２０）が前記第１接触板（１０）側に近接する方向に湾曲した際に接触する第１突起部（３１）と、
保持している前記第２接触板（２０）の他端の縁部（２０ｂ）よりも下方に、前記第２接触板（２０）が前記第１接触板（１０）側から離隔する向きに湾曲する際に接触する第２突起部（３２）と、
を有し、
前記第２接触板（２０）は、
前記第１接触板（１０）側に湾曲する場合には、前記第１突起部（３１）を支点として湾曲し、前記第１接触板（１０）側から離隔する向きに湾曲する場合は、前記第２突起部（３２）を支点として湾曲することを要旨とする。
【０００８】
このような清掃用具（１）によれば、第１接触板（１０）と第２接触板（２０）とを被清掃面（Ａ）に接触させた状態で、使用者が把手部（４０）を把持して清掃用具（１）を第１接触板（１０）側に移動させると、第１接触板（１０）の縁部（１０ａ）が被清掃面（Ａ）に接触しながら移動して被清掃面（Ａ）の表面の凹凸を平らにしたり、表面にある汚れなどを除去したりする。
【０００９】
それとともに、第２接触板（２０）が第１接触板（１０）と離隔する方向に湾曲しつつ被清掃面（Ａ）の表面に接触しながら移動して、第１接触板（１０）により平らにされたり表面の汚れが除去された被清掃面（Ａ）を更に平らにしたり汚れを除去したりする。
【００１０】
このとき、第１接触板（１０）の移動によって平らにならなかったり汚れが除去されなかったりした被清掃面（Ａ）に、第２接触板（２０）が湾曲しながら接触しつつ移動するが、第２接触板（２０）が、弾性体であるため縁部（２０ａ）のみでなく縁部（２０ａ）近傍の面も被清掃面（Ａ）に接触しつつ移動する。
【００１１】
したがって、第１接触板（１０）で平らにできなかったり汚れが除去できなかった箇所についても平らにしたり汚れを除去したりすることができる。つまり、整地作業や清掃作業の際に手間が掛からない便利な清掃用具（１）とすることができる。
【００１２】
［適用例２］
適用例１に記載の清掃用具（１）において、
前記第１接触板（１０）の前記被清掃面（Ａ）に接触する縁部（１０ａ）に複数の凸部（１２）が設けられていることを要旨とする。
【００１３】
このような清掃用具（１）によれば、被清掃面（Ａ）が砂地であったり、被清掃面（Ａ）の表面に硬い異物が付着していたりした場合であっても、第１接触板（１０）の複数の凸部（１２）によって、砂地を平らにしたり、異物を除去しやすくしたりすることが可能となり、より効率のよい清掃用具（１）とすることができる。
【図面の簡単な説明】
【００１４】
【図１】バンカーレーキの全体の概略の構成を示す外観図である。
【図２】第１接触板、第２接触板及び保持部の部分を拡大した概略の外観図である。
【図３】バンカーレーキの使用方法とバンカーレーキを使用した場合のバンカーの砂地の様子を示す概念図である。
【図４】ガラス窓清掃具の全体の概略の構成を示す外観図である。
【図５】把手部を回転させるための機構の概略の構成を示す図である。
【発明を実施するための形態】
【００１５】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１６】
［第１実施形態］
（バンカーレーキの構成）
図１は、本発明が適用されたバンカーレーキ１の全体の概略の構成を示す外観図（正面図及び側面図）である。図１に示すように、第１接触板１０、第２接触板２０、保持部３０及び把手部４０を備えている。
なお、バンカーレーキとは、ゴルフ場のコース内などにあるバンカーＡの砂地を均す道具である。したがって、本第１実施形態では、被清掃面ＡをバンカーＡとして説明する。
【００１７】
次に図２に基づき、バンカーレーキ１の構成品について説明する。図２は、第１接触板１０、第２接触板２０及び保持部３０の部分（つまり、把手部を省いた部分）を拡大した概略の外観図（正面図及び側面図）である。
【００１８】
第１接触板１０は、アルミ合金などの金属製の横長形状の部材であり、図２に示すように、バンカーレーキ１を使用する際に、長手方向の２つの縁部のうちバンカーＡに接触する一端縁部１０ａに複数の凸部１２が設けられている。換言すれば、いわゆる熊手状に形成されている。
【００１９】
第２接触板２０は、ポリカーボネートなどの樹脂、皮革あるいはゴムなどの弾性体を横長形状に形成した板材である。
また、図２に示すように、第２接触板２０は、その長手方向が第１接触板１０の長手方向と同じで、長手方向の一端縁部２０ａがバンカーＡに接するように、第１接触板１０とほぼ平行になるように配置されている。
【００２０】
保持部３０はアルミ合金などの金属製の部品であり、図２に示すように、第１接触板１０と第２接触板２０の、バンカーＡに接触する一端側の縁部と反対端の他端縁部１０ｂ，２０ｂを固定して保持する部分である。
【００２１】
具体的には、１枚のアルミ合金の一端縁部１０ａに複数の凸部１２を形成すように加工し、側面視でクランク状になるように折り曲げ加工する。クランク状に折り曲げ加工した部品のうち凸部１２を形成した部分が第１接触板１０であり、その他の部分が保持部３０となる。
【００２２】
クランク状の保持部３０の凸部１２が形成されていない方の面に、横長形状のアルミ製の押さえ板３４により第２接触板２０を挟み、数か所（本第１実施形態では４箇所）をボルト３６ａとナット３６ｂとで締め付けて固定する。
【００２３】
抑え板３４は、その短手方向の下端縁部が、クランク状の保持部３０の凸部１２が形成されていない方の面の曲げ部分よりも上方に位置するように取り付けられる。この抑え板３４の短手方向の下端部が第２突起部３２となる。
【００２４】
第２接触板２０をこのように保持部３０に取り付けることにより、第２接触板２０が第１接触板１０側から離隔する方向に湾曲する場合は、第２突起部３２を支点として湾曲することができる。
【００２５】
また、保持部３０をクランク状に形成し、クランクを形成する２つの面のうち１方を第１接触板１０とし、他方の面に第２接触板２０を取り付けることにより、第１接触板１０と第２接触板２０とを所定の距離だけ離隔して、ほぼ平行とすることができる。
【００２６】
また、第２接触板２０を保持している押さえ板３４の下端部よりも下方、つまり、第２突起部３２よりも下方に、クランク状の凸部１２が形成されていない方の面の曲げ部分が、第２接触板２０が第１接触板１０側に近接した際に接触する第１突起部３１となる。
【００２７】
このような位置に第１突起部３１を設けることにより、第２接触板２０が第１接触板１０側に湾曲する場合には、第１突起部３１を支点として湾曲するようにすることができる。
【００２８】
さらに、上述のように、第１突起部３１よりも上方に、抑え板３４の下端縁部である第２突起部３２設けられている。
このような位置に第２突起部３２を設けることにより、第２接触板２０が、第１接触板１０側から離隔する向きに湾曲する場合は、第２突起部３２を支点として湾曲するようにすることができる。
【００２９】
把手部４０は、保持部３０に取り付けられた長尺状の樹脂製又は金属製の棒であり、先端部分に使用者が把持しやすいように、ゴムなどでグリップ４２が形成されている。また、把手部４０の根元部分は保持部３０に固定されている。そして、使用者は把手部４０を把持してバンカーレーキ１を前後に移動させる。
【００３０】
ここで「所定の距離」とは、略平行に配置された第１接触板１０と第２接触板２０との平行の間隔を意味し、第２接触板２０の短手方向の長さは、保持部３０に固定した状態で、バンカーレーキ１を第１接触板１０側から第２接触板２０側の向きに移動させ、第２接触板２０が第１突起部３１を支点として第１接触板１０側に湾曲した場合に、第２接触板２０の一端縁部が第１接触板１０の一端縁部１０ａの凸部１２の先端が隠れない程度に接触する長さである。
【００３１】
（バンカーレーキの特徴）
次に、図３に基づいてバンカーレーキ１の特徴について説明する。図３は、バンカーレーキ１の使用方法とバンカーレーキ１を使用した場合のバンカーＡの砂地の様子を示す概念図である。
【００３２】
図３（ａ）に示すように、使用者がバンカーレーキ１をバンカーＡの砂地に置くと、第１接触板１０の複数の凸部１２の一部又は全部が砂地に埋没する。
その状態で、図３（ｂ）に示すように使用者がバンカーレーキ１の把手部４０のグリップ４２を把持して、図３（ｂ）中の矢印の向きに引っ張ると、複数の凸部１２によって砂地が筋状に均されるとともに第２接触板２０が、第２突起部３２を支点としてバンカーレーキ１の移動方向と反対方向に湾曲しながら砂地に接触して筋状になっている砂地を均していく。このようにして、バンカーＡの砂地を簡単に均すことができる。
【００３３】
さらに、図３（ｃ）に示すように、使用者がバンカーレーキ１を一端引っ張った後に反対方向（図３（ｃ）中の矢印の向き）に押すと、第２接触板２０が保持部３０の第１突起部３１を支点として第１接触板１０の向きに湾曲し、第１接触板１０に接触する。このとき、第１接触板１０の凸部１２の先端は第２接触板２０によって隠れないので、バンカーＡの砂地は、浅い筋状に均される。
【００３４】
このように、バンカーレーキ１を前後に数回移動（押し引き）させ、最後に引く方向に移動させることにより、バンカーＡの砂地をきれいに均すことができる。つまり、整地作業の際に手間が掛からない便利な清掃用具１（バンカーレーキ１）とすることができる。
【００３５】
［第２実施形態］
（ガラス窓清掃具の構成）
次に、図４に基づきガラス窓清掃具２について説明する。図４は、ガラス窓清掃具の全体の概略の構成を示す外観図（正面図及び側面図）である。図４に示すように、第２実施形態のガラス窓清掃具２も、第１実施形態のバンカーレーキ１と同様に、第１接触板１０、第２接触板２０、保持部３０及び把手部４０を備えている。
【００３６】
第２実施形態における第１接触板１０は、樹脂や皮革あるいはゴムなどの弾性体を横長形状に形成した部材であり、第２接触板２０は、第１実施形態と同様に樹脂や皮革あるいはゴムなどの弾性体を横長に形成した部材である。ただし、第１接触板１０の弾性の方が第２接触板２０の弾性よりも低く（つまり、第２接触板２０の方が柔らかく）なっている。
【００３７】
保持部３０は、アルミ合金などの金属やプラスチックなどの剛性のある材料で形成された部品であり、側面視でクランク状になるように折り曲げ加工してある。クランク状に折り曲げ加工した部品のうち平行の部分の一面に第１接触板１０を接着剤やボルトなどで固定し、他の面に第２接触板２０を接着剤やボルトなどで固定する。
【００３８】
また、第１実施形態と同様に、保持部３０には第１突起部３１が形成されており、ガラス窓清掃具２を、第２接触板２０側から第１接触板１０側に移動させたときに、第２接触板２０が第１突起部３１を支点として湾曲する。
【００３９】
さらに、第１実施形態と同様に、保持部３０には第２突起部３２が形成されており、ガラス窓清掃具２を、第１接触板１０側から第２接触板２０側に移動させたときに、第２接触板２０が第２突起部３２を支点として湾曲する。
【００４０】
把手部４０は、第１実施形態と同様の構成であるが、軽量化を図るためにプラスチックなどの樹脂を用いてもよい。
【００４１】
（ガラス窓清掃具の特徴）
使用者がガラス窓清掃具２をガラスの面に置くと、第１接触板１０及び第２接触板２０の一端の縁部がガラスの表面に接触する。その状態で、使用者がガラス窓清掃具２の把手部４０のグリップ４２を把持して引っ張ると、第１接触板１０と、第２突起部３２を支点として第１接触板１０側に湾曲する第２接触板２０によってガラスの表面が清掃される。
【００４２】
ここで、第２接触板２０の弾性が第１接触板１０の弾性よりも高いので、第１接触板１０でガラスの表面の異物を除去しつつ、第２接触板２０でガラスの表面の水分などを除去することができる。このようにして、ガラスの表面を簡単に清掃することができる。
【００４３】
さらに、使用者がガラス窓清掃具２を一端引っ張った後に反対方向に押すと、第２接触板２０が保持部３０の第１突起部３１を支点として第１接触板１０の向きに湾曲し、第１接触板１０に接触する。このとき、第１接触板１０の凸部１２の先端は第２接触板２０によって隠れないので、ガラスの表面の異物が除去される。
【００４４】
このように、ガラス窓清掃具２を前後に数回移動（押し引き）させ、最後に引く方向に移動させることにより、ガラスの表面をきれいに清掃することができる。つまり、清掃作業の際に手間が掛からない便利な清掃用具（ガラス窓清掃具２）とすることができる。
【００４５】
［その他の実施形態］
以上、本発明の実施形態について説明したが、本発明は、本実施形態に限定されるものではなく、種々の態様を採ることができる。
【００４６】
（１）上記実施形態では、第２接触板２０は弾性体で形成していたが、バンカーの砂地やガラスの表面に接する縁部にスポンジなどの吸水性材料を取り付けるようにしてもよい。
【００４７】
（２）上記実施形態では、把手部４０の根元は、保持部３０に固定されていたが、図５に示すように、保持部３０に回転部３８を取り付け、把手部４０の根元部分を回転部３８に取り付けるようにしてもよい。
【００４８】
回転部３８は、円筒状の金属材料の一端面の直径部分を溝加工することにより凹部３８ａが形成されており、凹部３８ａの底面に孔を設けて、保持部３０に図示しないボルトなどで回転可能に取り付けてある。
【００４９】
また、把手部４０の根元部分には、凹部３８ａに嵌合する凸部４０ａが形成されており、把手部４０の凸部４０ａを回転部３０の凹部３８ａに嵌合させた状態で、回転部３８ａの側面から貫通孔を設け、貫通孔にピンやボルトを挿入することにより回転部３８に把手部４０を固定する。
【００５０】
このように、把手部４０を、回転部３８を介して保持部３０に取り付けることにより、図５中に二点鎖線で示すように、把手部４０を保持部３０に対して回転させることができる。
【００５１】
したがって、使用者がバンカーレーキ１やガラス清掃具２などを使用する際、砂地やガラス表面に大きなうねりなどがあった場合や、均し方向や清掃方向を変化させる場合であっても容易に対応することができる。
【符号の説明】
【００５２】
１… バンカーレーキ  ２… ガラス窓清掃具  １０… 第１接触板  １０ａ… 一端縁部  １０ｂ… 他端縁部  １２… 凸部  ２０… 第２接触板  ２０ａ… 一端縁部  ２０ｂ… 他端縁部  ３０… 保持部  ３１… 第１突起部  ３２… 第２突起部  ３４… 押さえ板  ３６ａ… ボルト  ３６ｂ… ナット  ３８… 回転部  ３８ａ… 凹部  ４０… 把手部  ４０ａ… 凸部  ４２… グリップ。
【図１】
2019150531.tif 000003
【図２】
2019150531.tif 000004
【図３】
2019150531.tif 000005
【図４】
2019150531.tif 000006
【図５】
2019150531.tif 000007